(57)【要約】【課題】カーテンウォールの方立部について、耐火被覆の吹き付け範囲を容易に管理できるカーテンウォール構造を提供すること。【解決手段】カーテンウォール構造は、カーテンウォール１の方立部１０にロックウールを設けるためのものである。このカーテンウォール１の方立部１０の幅方向両端側には、屋内に向かって延びる押さえ部材３０が形成されている。この発明によれば、これら押さえ部材３０の間に向かってロックウールを吹き付けることで、この押さえ部材３０よりも外側にロックウールが飛散するのを抑制できるから、押さえ部材３０のロックウール２０の吹き付け範囲を容易に管理できる。【選択図】図２
2011202353.tif 000002
【特許請求の範囲】
【請求項１】
カーテンウォールの方立部に耐火被覆を設けるためのカーテンウォール構造であって、
前記方立部の幅方向両端側には、屋内に向かって延びる鍔部が形成されていることを特徴とするカーテンウォール構造。
【請求項２】
前記鍔部は、前記方立部から当該方立部の幅方向に突出して延びる第１突出片と、当該第１突出片の先端から屋内に向かって突出して延びる第２突出片と、を備え、
前記第１突出片の突出寸法および前記第２突出片の突出寸法は、予め定められた耐火被覆の目標厚さに略等しいことを特徴とする請求項１に記載のカーテンウォール構造。
【発明の詳細な説明】
【技術分野】
【０００１】
本発明は、カーテンウォール構造に関する。詳しくは、カーテンウォールの方立部に耐火被覆を設けるためのカーテンウォール構造に関する。
【背景技術】
【０００２】
従来、カーテンウォールの防火上の取り扱いについては、建築主事の判断により確認を行っていた。そのため、カーテンウォールのファスナ部を含む層間部分には耐火被覆を施すが、その他の部分については、特に耐火被覆を施さない場合があった（特許文献１参照）。
【先行技術文献】
【特許文献】
【０００３】
【特許文献１】特開平１１−３６４７９号公報
【発明の概要】
【発明が解決しようとする課題】
【０００４】
しかしながら、平成１９年に改正建築基準法が施行され、平成２０年５月に国土交通省住宅局建築指導課より、カーテンウォールについての技術的助言がなされた。この技術的助言では、カーテンウォールの各構成部分について、外壁の技術的基準が適用される部分と開口部の技術的基準が適用される部分とを明確に定義している。これにより、スパンドレル部については、外壁の技術的基準が適用され、少なくとも２０ｍｍの厚さ耐火被覆を施すこととなった。
したがって、方立部のスパンドレル部に該当する部分にも耐火被覆を施す必要があるが、方立部の幅が狭いため、耐火被覆の吹き付け範囲の管理が難しい、という問題があった。
【０００５】
本発明は、カーテンウォールの方立部について、耐火被覆の吹き付け範囲を容易に管理できるカーテンウォール構造を提供することを目的とする。
【課題を解決するための手段】
【０００６】
請求項１に記載のカーテンウォール構造は、カーテンウォールの方立部に耐火被覆を設けるためのカーテンウォール構造であって、前記方立部の幅方向両端側には、屋内に向かって延びる鍔部が形成されていることを特徴とする。
【０００７】
この発明によれば、方立部の幅方向両端側に屋内に向かって延びる一対の鍔部を形成した。よって、これら鍔部の間に向かって耐火被覆を吹き付けることで、この鍔部よりも外側に耐火被覆が飛散するのを抑制できるから、鍔部の耐火被覆の吹き付け範囲を容易に管理できる。
【０００８】
前記鍔部は、前記方立部から当該方立部の幅方向に突出して延びる第１突出片と、当該第１突出片の先端から屋内に向かって突出して延びる第２突出片と、を備え、前記第１突出片の突出寸法および前記第２突出片の突出寸法は、予め定められた耐火被覆の目標厚さに略等しいことを特徴とする。
【０００９】
この発明によれば、第１突出片および第２突出片を含んで鍔部を構成し、第１突出片の突出寸法および第２突出片の突出寸法を、予め定められた耐火被覆の目標厚さに略等しくした。よって、耐火被覆を第２突出片の先端までの厚さで吹き付けるだけで、耐火被覆の方立部の幅方向の厚さおよび屋内方向の厚さを同時に確保できるので、耐火被覆の厚みを容易に管理できる。
【発明の効果】
【００１０】
本発明によれば、方立部の幅方向両端側に屋内に向かって延びる一対の鍔部を形成した。よって、これら鍔部の間に向かって耐火被覆を吹き付けることで、この鍔部よりも外側に耐火被覆が飛散するのを抑制できるから、鍔部の耐火被覆の吹き付け範囲を容易に管理できる。
【図面の簡単な説明】
【００１１】
【図１】本発明の一実施形態に係るカーテンウォール構造が適用されたカーテンウォールの方立部の縦断面図である。
【図２】前記実施形態に係るカーテンウォールの方立部の横断面図である。
【発明を実施するための形態】
【００１２】
図１は、本発明の一実施形態に係るカーテンウォール構造が適用されたカーテンウォール１の方立部の縦断面図である。図２は、カーテンウォール１の方立部の横断面図である。
カーテンウォール１は、高さ方向に延びる方立部１０と、略水平方向に延びてこれら方立部１０同士を連結する図示しない無目部と、これら方立部１０および無目部で囲まれた開口部１１、スパンドレル部１２、および図示しない柱形部と、を備える。
【００１３】
開口部１１は、居住者の足元付近から天井にかけて位置しており、この開口部１１には、ガラス部材１１１が取り付けられている。
スパンドレル部１２は、床スラブ４０を上下に跨ぐように位置しており、このスパンドレル部１２には、ガラス部材１２１および耐火ボード１３が取り付けられている。耐火ボード１３は、ガラス部材１２１よりも屋内側に取り付けられている。
【００１４】
スパンドレル部１２のうち床スラブ４０よりも上に位置する部分は、ペリカウンター１４で覆われている。一方、スパンドレル部１２のうち床スラブ４０よりも下に位置する部分は、カーテンボックス１５および天井ボード１６で覆われている。
床スラブ４０とスパンドレル部１２との隙間には、ロックウール２１が吹き付けられている。
【００１５】
方立部１０のうちこのスパンドレル部１２を構成する部分の屋内側の面でかつ幅方向両端側には、上述の耐火ボード１３を押さえるための一対の鍔部としての押さえ部材３０が取り付けられている。これにより、耐火ボード１３は、方立部１０と押さえ部材３０との間に挟み込まれて保持されている。
【００１６】
押さえ部材３０は、方立部１０からこの方立部１０の幅方向に突出して延びる第１突出片３１と、この第１突出片３１の先端から屋内に向かって突出して延びる第２突出片３２と、を備える。具体的には、この押さえ部材３０は、断面Ｌ字形状のアルミ製のアングル材を方立部１０にビス３３により固定することにより形成され、第１突出片３１と第２突出片３２とが一体化されている。
【００１７】
一対の押さえ部材３０の間には、耐火性を有する耐火被覆としてのロックウール２０が吹き付けられている。このロックウール２０は、第２突出片３２の先端までの厚さに吹き付けられている。また、上述のロックウール２１は、このロックウール２０まで到達しているｓ。
押さえ部材３０の第１突出片３１の突出寸法Ｌ１および第２突出片３２の突出寸法Ｌ２は、予め定められたロックウール２０の目標厚さ（例えば、２０ｍｍあるいは３０ｍｍ）に略等しくなっている。これにより、ロックウール２０の方立部１０の幅方向の厚さおよび屋内方向の厚さが確保されている。
【００１８】
このように、押さえ部材３０は、耐火ボード１３を押さえるほか、ロックウールを吹き付けるためのガイドとしての役割を果たしている。
【００１９】
本実施形態によれば、以下のような効果がある。
（１）方立部１０の幅方向両端側に屋内に向かって延びる一対の押さえ部材３０を形成した。よって、これら押さえ部材３０の間に向かってロックウールを吹き付けることで、この押さえ部材３０よりも外側にロックウールが飛散するのを抑制できるから、押さえ部材３０のロックウール２０の吹き付け範囲を容易に管理できる。
【００２０】
（２）第１突出片３１および第２突出片３２を含んで押さえ部材３０を構成し、第１突出片３１の突出寸法Ｌ１および第２突出片３２の突出寸法Ｌ２を、予め定められた耐火被覆の目標厚さに略等しくした。よって、ロックウールを第２突出片３２の先端までの厚さで吹き付けるだけで、ロックウール２０の方立部１０の幅方向の厚さおよび屋内方向の厚さを同時に確保できるので、ロックウール２０の厚みを容易に管理できる。
【００２１】
（３）耐火ボード１３を押さえるための押さえ部材３０を、ロックウールを吹き付けるためのガイドとして利用したので、低コストでロックウールの吹き付け範囲や厚みを管理できる。
【００２２】
なお、本発明は前記実施形態に限定されるものではなく、本発明の目的を達成できる範囲での変形、改良等は本発明に含まれるものである。
なお、本実施形態では、押さえ部材３０として断面Ｌ字形状のアルミ製のアングル材を用いることで、第１突出片３１と第２突出片３２とを一体化させたが、これに限らず、第１突出片３１と第２突出片３２とを別体として、それぞれを異なる材料で形成してもよい。例えば、第１突出片をアルミ製の板材とし、第２突出片をセラミック製の板材やラス網として、この第２突出片を第１突出片にビスで固定してもよい。
【符号の説明】
【００２３】
１…カーテンウォール
１０…方立部
１１…開口部
１２…スパンドレル部
１３…耐火ボード
１４…ペリカウンター
１５…カーテンボックス
１６…天井ボード
２０、２１…ロックウール（耐火被覆）
３０…押さえ部材（鍔部）
３１…第１突出片
３２…第２突出片
３３…ビス
４０…床スラブ
１１１、１２１…ガラス部材
Ｌ１、Ｌ２…突出寸法
【図１】
2011202353.tif 000003
【図２】
2011202353.tif 000004